【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
第１の撮像手段と、前記第１の撮像手段と反対方向を撮影するための前記第２の撮像手段とを有する撮像装置であって、
前記撮像装置の姿勢を検出する検出手段と、
前記第１の撮像手段により撮影した画像と前記第２の撮像手段により撮影した画像とを同時に表示手段に表示するための制御を行う制御手段と、を有し、
前記第２の撮像手段により撮影した画像を鏡像反転させずに前記第１の撮像手段により撮影した画像と共に表示するときに、前記検出手段の検出結果により前記撮像装置の姿勢が所定の姿勢であると判断される場合には、前記制御手段は、前記第２の撮像手段により撮影した画像を回転して表示するように制御することを特徴とする撮像装置。
【請求項２】
前記制御手段は、前記第２の撮像手段により撮影した画像を鏡像反転させずに表示するときに、前記撮像装置が前記第１の撮像手段の撮影方向周りに９０度または２７０度回転していると前記検出手段により検出された場合には、前記制御手段は、前記第２の撮像手段により撮影した画像を回転して表示するように制御することを特徴とする請求項１に記載の撮像装置。
【請求項３】
前記制御手段は、前記第２の撮像手段により撮影した画像を回転して表示する場合、１８０度回転させて表示するように制御することを特徴とする請求項１または２に記載の撮像装置。
【請求項４】
前記第２の撮像手段により撮影した画像を鏡像反転させずに表示する第１の表示モードと、前記第２の撮像手段により撮影した画像を鏡像反転させて表示する第２の表示モードを切り替え可能な表示モード設定手段を有することを特徴とする請求項１ないし３のいずれか１項に記載の撮像装置。
【請求項５】
前記制御手段は、前記第１の表示モードにおいて、前記撮像装置の姿勢が所定の姿勢であると検出される場合には、前記第２の撮像手段により撮影した画像を回転して表示するように制御し、前記第２の表示モードにおいて、前記撮像装置の姿勢が所定の姿勢であると検出される場合には、前記第２の撮像手段により撮影した画像を回転させずに表示するように制御することを特徴とする請求項１に記載の撮像装置。
【請求項６】
前記表示手段をさらに有し、前記表示手段は、前記撮像装置の前記第２の撮像手段により撮影される方向側に設けられていることを特徴とする請求項１ないし５のいずれか１項に記載の撮像装置。
【請求項７】
前記制御手段は、前記第２の撮像手段により撮影した画像を鏡像反転させずに表示するときに、前記撮像装置が前記第１の撮像手段の撮影方向周りに９０度または２７０度回転した縦姿勢であると検出される場合には、前記制御手段は、前記第２の撮像手段により撮影した画像を回転して表示するように制御することを特徴とする請求項１に記載の撮像装置。
【請求項８】
前記検出手段は、前記撮像装置の撮影方向周りの角度が第１の角度を超えたことに応じて前記撮像装置が横姿勢から縦姿勢に変化したと判定し、その後、縦姿勢から前記第１の角度よりも小さい第２の角度になったことに応じて、横姿勢になったと判定することを特徴とする請求項７に記載の撮像装置。
【請求項９】
前記検出手段は、前記撮像装置の撮影方向周りの角度が所定の角度を超えたことに応じて前記撮像装置が横姿勢から縦姿勢に変化したと判定し、その後、前記所定の角度以下の状態が所定の期間連続したことに応じて横姿勢になったと判定することを特徴とする請求項７に記載の撮像装置。
【請求項１０】
第１の撮像手段と、前記第１の撮像手段の撮影方向と反対方向を撮影するための前記第２の撮像手段とを有する撮像装置であって、
前記撮像装置の姿勢を検出する検出手段と、
前記第１の撮像手段により撮影した画像と前記第２の撮像手段により撮影した画像とを合成して記録媒体に記録するための制御手段と、を有し、
前記制御手段は、前記第１の撮像手段により撮影した画像に前記第２の撮像手段により撮影した画像を鏡像反転させずに合成して記録するときに、前記撮像装置の姿勢が所定の姿勢であると検出されるときは、前記第２の撮像手段により撮影した画像を回転して合成するように制御することを特徴とする撮像装置。
【請求項１１】
前記制御手段は、前記第２の撮像手段により撮影した画像を鏡像反転させずに合成する場合には、前記撮像装置が前記第１の撮像手段の撮影方向周りに９０度または２７０度回転していると検出された場合に、前記第２の撮像手段により撮影した画像を回転して合成するように制御することを特徴とする請求項１０に記載の撮像装置。
【請求項１２】
前記制御手段は、前記第２の撮像手段により撮影した画像を回転して合成する場合、前記第２の撮像手段により撮影した画像を１８０度回転させて合成するように制御することを特徴とする請求項１０または１１に記載の撮像装置。
【請求項１３】
前記第２の撮像手段により撮影した画像を鏡像反転させずに記録する第１の記録モードと、前記第２の撮像手段により撮影した画像を鏡像反転させて記録する第２の記録モードを切り替え可能な記録モード設定手段を有することを特徴とする請求項１０ないし１２のいずれか１項に記載の撮像装置。
【請求項１４】
前記制御手段は、前記第１の撮像手段により撮影した画像に前記第２の撮像手段により撮影した画像を鏡像反転させずに合成して記録する場合に、前記撮像装置の姿勢が所定の姿勢であると検出されるときは、前記第２の撮像手段により撮影した画像を回転して合成するように制御し、前記第１の撮像手段により撮影した画像に前記第２の撮像手段により撮影した画像を鏡像反転させて合成して記録する場合には、前記撮像装置の姿勢が所定の姿勢であると検出される場合であっても、前記第２の撮像手段により撮影した画像を回転させずに合成するように制御することを特徴とする請求項１０ないし１３のいずれか１項に記載の撮像装置。
【請求項１５】
撮像装置であって、
撮影者側を撮影可能な撮像手段と、
前記撮像装置の姿勢を検出する検出手段と、
前記撮像装置が９０度または２７０度回転した姿勢であることが前記検出手段により検出される場合には、前記撮像手段により撮影した画像を１８０度回転して表示するように制御する制御手段と、を有することを特徴とする撮像装置。
【請求項１６】
前記制御手段は、前記撮像手段により撮影した画像を鏡像反転させずに表示する第１の表示モードと鏡像反転させて表示する第２のモードを選択するための選択手段を有し、
前記第１のモードにおいては、前記検出手段の検出結果により前記撮像装置の姿勢に応じて前記撮像手段により撮影した画像を回転して表示するように制御し、前記第２のモードにおいては回転させずに表示するように制御することを特徴とする請求項１５記載の撮像装置。
【請求項１７】
更に前記撮像者とは反対側の被写体を撮像するための、前記撮像手段とは異なる他の撮像手段を有することを特徴とする請求項１５または１６記載の撮像装置。
【請求項１８】
前記撮像装置の前記撮像手段により撮影する側に表示手段を有し、前記制御手段は、表示手段に撮像手段により撮影した画像を表示するように制御することを特徴とする請求項１５ないし１７のいずれか１項に記載の撮像装置。
【請求項１９】
第１の撮像手段と、前記第１の撮像手段と反対方向を撮影するための前記第２の撮像手段とを有する撮像装置であって、
前記撮像装置の姿勢を検出する検出手段と、
前記第１の撮像手段により撮影した画像および前記第２の撮像手段により撮影した画像に、前記検出手段により検出した撮像装置の姿勢に応じた回転情報を付加し、記録媒体に記録するための制御を行う制御手段と、を有し、
前記制御手段は、前記撮像装置が縦姿勢の場合には、前記第２の撮像手段により撮影した画像には、前記第１の撮像手段により撮影した画像に付加する回転情報と１８０度位相が異なる回転情報を付加して記録するように制御することを特徴とする撮像装置。
【請求項２０】
第１の撮像手段により撮影した画像と、前記第１の撮像手段と反対方向を撮影するための前記第２の撮像手段により撮影した画像とを表示手段に表示させるための表示制御装置の制御方法であって、
前記第１の撮像手段または前記第２の撮像手段の姿勢を判断する判断工程と、
前記第１の撮像手段により撮影した画像と前記第２の撮像手段により撮影した画像とを同時に表示手段に表示するための表示制御工程であって、前記第１の撮像手段により撮影した画像と共に、前記第２の撮像手段により撮影した画像を鏡像反転させずに表示するときに、前記判断工程において所定の姿勢であると判断された場合には、前記第２の撮像手段により撮影した画像を回転して表示するように制御する表示制御工程と、を有することを特徴とする表示制御装置の制御方法。
【請求項２１】
第１の撮像手段により撮影した画像と、前記第１の撮像手段の撮影方向と反対方向を撮影するための前記第２の撮像手段により撮影した画像とを合成して記録するための記録装置の制御方法であって、
前記第１の撮像手段または前記第２の撮像手段の姿勢を判断する判断工程と、
前記第１の撮像手段により撮影した画像と前記第２の撮像手段により撮影した画像とを合成して記録媒体に記録するための記録制御工程であって、前記第１の撮像手段により撮影した画像に前記第２の撮像手段により撮影した画像を鏡像反転させずに合成して記録するときに、前記判断工程において所定の姿勢であると判断された場合には、前記第２の撮像手段により撮影した画像を回転して合成するように制御する記録制御工程とを有することを特徴とする記録装置の制御方法。
【請求項２２】
撮像手段により撮影した画像を表示手段に表示させるための表示制御装置の制御方法であって、
前記撮像手段の撮影方向周りの回転情報を取得する取得工程と、
前記取得工程で取得した回転情報に基づいて前記撮像手段が９０度または２７０度回転していると判断される場合は、前記撮像手段により撮影した画像を１８０度回転して前記表示手段に表示するように制御する表示制御工程と、を有することを特徴とする表示制御装置の制御方法。
【請求項２３】
第１の撮像手段により撮影した画像と、前記第１の撮像手段の撮影方向と反対方向を撮影するための前記第２の撮像手段により撮影した画像とを記録媒体に記録するための記録装置の制御方法であって、
前記第１の撮像手段の撮影方向周りの回転を示す情報を取得する取得工程と、
前記第１の撮像手段により撮影した画像および前記第２の撮像手段により撮影した画像に、前記取得工程で取得した情報に応じた回転情報を付加し、前記記録媒体に記録する記録工程と、を有し、
前記記録工程では、前記取得工程で取得した情報に基づいて前記撮像手段が９０度または２７０度回転していると判断される場合には、前記第２の撮像手段により撮影した画像には、前記第１の撮像手段により撮影した画像に付加する回転情報と１８０度位相が異なる回転情報を付加して記録することを特徴とする記録装置の制御方法。
【請求項２４】
コンピュータを、請求項１ないし１９に記載の撮像装置の各手段として機能させるためのプログラム。
【請求項２５】
請求項２０または２２に記載の表示制御装置の制御方法をコンピュータに実行させるためのプログラム。
【請求項２６】
請求項２１または２３に記載の記録装置の制御方法をコンピュータに実行させるためのプログラム。
【手続補正２】
【補正対象書類名】明細書
【補正対象項目名】０００７
【補正方法】変更
【補正の内容】
【０００７】
本発明に係る撮像装置は、
第１の撮像手段と、第１の撮像手段と反対方向を撮影するための第２の撮像手段とを有する撮像装置であって、撮像装置の姿勢を検出する検出手段と、第１の撮像手段により撮影した画像と第２の撮像手段により撮影した画像とを同時に表示手段に表示するための制御を行う制御手段と、を有し、第２の撮像手段により撮影した画像を鏡像反転させずに第１の撮像手段により撮影した画像と共に表示するときに、検出手段の検出結果により撮像装置の姿勢が所定の姿勢であると判断される場合には、制御手段は、第２の撮像手段により撮影した画像を回転して表示するように制御することを特徴とする。
【手続補正３】
【補正対象書類名】明細書
【補正対象項目名】０００８
【補正方法】変更
【補正の内容】
【０００８】
また、本発明に係る撮像装置は、
第１の撮像手段と、第１の撮像手段の撮影方向と反対方向を撮影するための第２の撮像手段とを有する撮像装置であって、撮像装置の姿勢を検出する検出手段と、
第１の撮像手段により撮影した画像と第２の撮像手段により撮影した画像とを合成して記録媒体に記録するための制御手段と、を有し、制御手段は、第１の撮像手段により撮影した画像に第２の撮像手段により撮影した画像を鏡像反転させずに合成して記録するときに、撮像装置の姿勢が所定の姿勢であると検出されるときは、第２の撮像手段により撮影した画像を回転して合成するように制御することを特徴とする。